(57)【要約】【課題】  撮像装置を構成するビデオカメラのメカデッキをケース本体の下方にいくほど中心側になるよう傾斜させて配置しケース本体の中心に重いものが来るようにして重心が偏らないようにし、撮影時にアンバランス状態にならず撮影し易く、テープカセットやディスクが取り出し易くした業務用ビデオカメラを提供する。【解決手段】  横長のケース本体１１設けられたメカデッキ７６内にカセット５１を交換可能に挿入し、ケース本体１１の１端にレンズ装置１２を配し、レンズ装置１２の光軸Ｌと垂直に直交する面上に光軸Ｌと平行するように取手２０を備えたビデオカメラ１０において、横長のケース本体内１１のレンズ装置１２の光軸Ｌに垂直に直交する面上に配設したシャーシ基板７５に対し、メカデッキ７６を傾斜して配し、カセット５１をケース本体１１から取り出し可能と成す。【選択図】      図５
2006072245.tif 000002
【特許請求の範囲】
【請求項１】
横長のケース本体に設けられたメカデッキ内に記録／再生媒体を交換可能に配設し、該ケース本体の１端にレンズ系を有する光学手段を配し、該光学手段の光軸と垂直に直交する面上に該光学系と平行するように取手を備えた撮像装置において、
上記横長のケース本体内の上記光学系の上記光軸に垂直に直交する面上に配設した基板に対し、上記メカデッキを傾斜して配し、上記記録／再生媒体を該ケース本体から取り出し可能と成したことを特徴とする撮像装置。
【請求項２】
横長のケース本体に設けられたメカデッキ内に記録／再生媒体を交換可能に配設し、該ケース本体の１端にレンズ系を有する光学手段を配し、該光学手段の光軸と垂直に直交する面上に該光学系と平行するように取手を備えた撮像装置において、
上記横長のケース本体内の上記光学軸に垂直に直交する面上に配置した基板に対し上記メカデッキを対抗配置すると共に上記取手の範囲内の下部に該メカデッキを配設したことを特徴とする撮像装置。
【請求項３】
前記メカデッキの重心を該メカデッキの下方の前記ケース本体の中心位置側に配するように成したことを特徴とする請求項１又は請求項２記載の撮像装置。
【請求項４】
前記ケース本体に前記記録／再生媒体を取り出し可能に設けた開閉蓋の下端に操作ボタン群を配設したことを特徴とする請求項１乃至請求項３のいずれか１項記載の撮像装置。
【請求項５】
前記記録／再生媒体がテープまたはでディスクであることを特徴とする請求項１乃至請求項４のいずれか１項記載の撮像装置。
【請求項６】
前記メカデッキの下方に回転ヘッドドラムまたはディスク回動駆動部を配置したことを特徴とする請求項１乃至請求項５のいずれか１項記載の撮像装置。
【発明の詳細な説明】
【技術分野】
【０００１】
本発明は、撮像された被写体の映像（画像）や予め記憶装置に記憶された映像を表示可能な表示装置を備えた横長の撮像装置のケース本体の全重量のバランスをケース本体の下方中心に配した撮像装置に係わり、特に、メカデッキをケース本体のレンズの光軸に対し傾斜して配置し、或いは取手幅の範囲内の下方にメカデッキを配設した業務用の大型の撮像装置に関するものである。
【背景技術】
【０００２】
従来の、この種の撮像装置が特許文献１に記載されている。特許文献１の特徴とするところは、ファインダ、レンズ等を有するカメラ部を横長に形成し、カメラ部の下端に、前後に扁平形成されたＶＴＲ部を前下方に傾斜するように連設したビデオカメラ一体型ＶＴＲ装置としたものである。
【０００３】
図９（Ａ）（Ｂ）は上記特許文献１に記載された構成を示すものであり、図において、ビデオカメラ本体部のケース２０１の側面を「く」の字状に形成し、ケース２０１の上部に横長のカメラ部２０２を形成し傾斜した下部のケース２０１内にＶＴＲ部２０３を配設したものである。カメラ部２０２にはファインダ２０４、撮像レンズ２０５、マイクロホン２０６等が配設され、傾斜したケース２０１の前面にはカセットホルダ２０７が配設されている。押しボタン２０８の押圧によって図９（Ｂ）のようにカセットホルダ２０７のリッドを開くことが出来て、ケース２０１内にカセット２０９を挿入可能となされている。図９（Ｂ）に破線で示す２１０はシャーシ、２１１はプリント配線基板である。尚２１２は電池、２１４はＶＴＲ部のカセット２０９を動作させるためのスタートボタン、２１５はレンズフードを兼ねるカバーである。
【０００４】
この特許文献１に記載されたビデオカメラは、ＶＴＲ部２０３が横長のカメラ部２０３に対して下方向に傾斜して連設されているので撮影時には目よりも低いＶＴＲ部２０３の前後両端を持つことが可能で、撮影時の姿勢に無理が無く、前後長が短く撮影時の重心が顔面に近いのでビデオカメラを持つ腕にかかる荷重を軽減することが出来る。
【０００５】
上述の構成ではカメラ部２０２に対しＶＴＲ部２０３のメカデッキを傾斜させて収納する技術を示しているが、ケース２０１自体を傾斜させたもので、傾斜させたＶＴＲ部２０３内に配置されたシャーシ２１０やプリント基板２１１等のメカデッキはケース２０１に対して平行に配置されている。さらに、撮影レンズ２０５の光軸２１３方向にメカデッキを傾斜させている。この特許文献１に開示された撮像装置ではケース２０１が横長の「く」の字状になるような配置に関するものでる。
【０００６】
従って、上述の撮像装置本体のケース２０１内部に収納されたメカデッキは、使用するテープやディスク媒体がケース２０１に対し垂直に立つ状態で収納される。すなわちメカデッキ自体も垂直な姿勢で保持されているのでカセット２０９から記録媒体の取り出しのためにカセットホルダ２０７の開閉蓋を大きく開く必要があり取り出しにくく、かつ取り出す方向の延長線上すなわち撮像装置本体のケース２０１では、左右のどちらかの方向はデッドスペースとなりデザイン上の制約が生ずる課題を有する。
【特許文献１】特開平６−１０５９６４号公報
【発明の開示】
【発明が解決しようとする課題】
【０００７】
本発明は上述の課題を解決するためになされたもので、本発明が解決しようとする課題は、ＶＴＲやディスク装置のメカデッキを内蔵した撮像装置において、メカデッキを下方にいくほど中心側になるよう傾斜させて配置することにより、中心に重いものが来るようにして重心が偏らず、またテープカセットやディスクが取り出し易くすることを可能とした撮像装置を提供することを目的とする。
【課題を解決するための手段】
【０００８】
本発明の撮像装置は、業務用或いはプロアマチュア用のニュース取材等に使用される高画質用の撮像装置に係わり、特にケース本体の上部中心位置に取手を有する撮像装置において、取手を持った状態で撮像を行なっても左右上下方向にアンバランス状態にならない撮像装置に関するものである。
【０００９】
第１の本発明は、横長のケース本体に設けられたメカデッキ内に記録／再生媒体を交換可能に配設し、ケース本体の１端にレンズ系を有する光学手段を配し、光学手段の光軸と垂直に直交する面上に該光学系と平行するように取手を備えた撮像装置において、横長のケース本体内の光学系光軸に垂直に直交する面上に配設した基板に対し、メカデッキを傾斜して配し、記録再生媒体をケース本体から取り出し可能と成したことを特徴とする撮像装置としたものである。
【００１０】
第２の本発明は、横長のケース本体に設けられたメカデッキ内に記録／再生媒体を交換可能に配設し、ケース本体の１端にレンズ系を有する光学手段を配し、光学手段の光軸と垂直に直交する面上に該光学系と平行するように取手を備えた撮像装置において、横長のケース本体内の光学軸に垂直に直交する面上に配置した基板に対しメカデッキを対抗配置すると共に取手の範囲内の下部にメカデッキを配設したことを特徴とする撮像装置としたものである。
【００１１】
第３の本発明は、メカデッキの重心をメカデッキの下方のケース本体の中心位置側に配するように成したことを特徴とする撮像装置としたものである。
【００１２】
第４の本発明は、ケース本体に記録／再生媒体を取り出し可能に設けた開閉蓋の下端に操作ボタン群を配設したことを特徴とする撮像装置としたものである。
【発明の効果】
【００１３】
第１の本発明によれば、ケース本体に対する重量比の大きなメカデッキの重心位置を低くしケース本体の前後左右をバランスさせているので、高画質の被写体の撮像時に左右方向にモーメントが掛からず高画質の被写体の撮影が可能でセットバランスに優れた撮像装置が得られる。
【００１４】
第２に本発明によれば、撮影時に撮像装置の取手を持った状態でケース本体の下方に重心を置いた状態で安定な撮像が可能な撮像装置が得られる。
【００１５】
第３の本発明によれば、ケース本体に対する重量比の大きなメカデッキの重心位置を低くしてケース本体全体の重心をセットの下部中心位置に近づけたので、撮影時のバランスがセットの下方に安定して撮影しやすい撮像装置が得られる。
【００１６】
第４の本発明によれば、ケース本体の開閉蓋の下端で、かつ、従来デハデットスペースであったメカデッキの回転ヘッドドラムの前方に操作ボタン群を配設可能な撮像装置が得られる。
【００１７】
本発明の構成によれば、メカデッキの下側をセット中心に近づけて配置するため、セット下側に他の構成部品を配置するスペースが生まれ、設計的、デザイン的に自由度が上がる。また記録／再生媒体が斜め上方にせり上がってくるようにメカデッキを配置することが出来るので、記録媒体／再生媒体の交換が非常に行い易い。更に、メカデッキの重心位置、即ち、記録再生ヘッド等の動作部をケース本体の中心に寄せているのでケース本体の外装面からは遠ざけられるので、使用者に不要な振動やノイズ音を与え難くなる等の効果を生ずる。
【発明を実施するための最良の形態】
【００１８】
本発明の撮像装置は、撮影時において、取手を持って撮影してもバランスよく撮像可能で、表示手段が邪魔にならず、ケース本体の開閉蓋の下端で、メカデッキッに配した回転ヘッドドラムの前方に操作ボタン群を配設可能であり、ケース本体に対して重量比の大きなメカデッキの重心位置を低くすることでケース本体の下部中心位置に撮像装置全体の重心を近づけられるので、撮影時のセットバランスがセットの下方に安定して撮影しやすい撮像装置が得られるという目的を、メカデッキの配置、取付構造等を工夫することによって得るようにしたものである。
【実施例１】
【００１９】
以下、本発明の撮像装置としてのビデオカメラを図１乃至図４の実施の形態例で説明する、図１は本発明の撮像装置としてのビデオカメラの１形態例を示すカセット挿入口の開閉蓋を開いた状態を示すビデオカメラの斜視図、図２は図１のビデオカメラのカセット挿入口の開閉蓋を閉じた状態を示すビデオカメラの斜視図、図３は図１及び図２に示すビデオカメラとは反対側から視たビデオカメラの斜視図、図４は図１及び図２に示すビデオカメラの側面図である。本発明の撮像装置、即ち、ビデオカメラは、業務用或いはプロアマチュア用のニュース取材等に使用される高画質用に有用なもので、特に、ケース本体の上部中心位置に取手を有するビデオカメラの取手を持った状態で撮像を行なっても左右上下方向にアンバランス状態にならないで高画質の画像または映像を撮像可能な撮像装置を提供しようとするものである。
【００２０】
図１〜図４に示すビデオカメラ１０は撮像装置の一具体例を示すもので、情報記録媒体としてテープ状記録媒体を用いたデジタルビデオカセット（以下「ＤＶカセット」という。）を使用し、光学的な画像をＣＣＤ（電荷結合素子）で電気的な信号に変換してＤＶカセットに記録又は／及び再生（以下記録／再生と記す）し、液晶ディスプレイ等の表示装置に表示できるようにしたものである。然しながら、本発明の撮像装置としては、ビデオカメラに限定されるものではなく、電子スチルカメラその他の撮像装置に適用可能である。更に、情報記録媒体としては、ＤＶカセットに限定されるものではなく、アナログビデオカセットその他のテープ状記録媒体を用いることができることは勿論のこと、ＤＶＤ（デジタルバーサタイルディスク）やＣＤ−ＲＯＭその他の記録可能な光ディスク、光磁気ディスク、磁気ディスク等のようなディスク状記録媒体、更には、半導体記録媒体等のようなその他の記録媒体を適用することもできる。
【００２１】
このビデオカメラ１０は、中空の筐体からなるケース本体１１と、このケース本体１１の前面に突出するように取り付けられたレンズ装置１２と、このレンズ装置１２から入力される光に基づいて被写体の映像信号を形成する撮像手段と、この撮像手段で形成された映像信号又は予め情報記録媒体（撮像手段の記憶装置或いはＤＶカセット）に記録されている情報に基づいて映像を表示する表示装置１３等から構成されている。ここで、本発明における映像と画像について定義する。本発明では、表示装置１３の表示面に表された１コマ毎の静止像を「画像」といい、その画像の任意数の集合の動画像を「映像」というものとする。従って、本発明の撮像装置は画像および映像を撮像可能な構成と成されている。
【００２２】
図１乃至図４において、撮像手段としてのビデオカメラ１０は、ケース本体１１の内部に収納されているＤＶカセット５１が着脱自在に装着されるカセットホルダ５０と、このカセットホルダ５０に装着されたＤＶカセット５１のテープ状記録媒体を走行させて情報信号の記録（書き込み）及び／又は再生（読み出し）（記録／再生）を行う記録／再生装置（以下メカデッキと記す）５２と、このメカデッキ５２の駆動制御等を行う制御装置から構成されている。メカデッキ５２はカメラレンズ及びＣＣＤを含むレンズ装置１２の光軸Ｌ（図４参照）上の後方に配置されていて、このレンズ装置１２のＣＣＤで電気的な信号に変換された情報がＤＶカセットに記録／再生される。
カセットホルダ５０のカセット挿入口５３はケース本体１１に設けた開口部５４から外部に突出可能とされていて、その開口部５４は、ケース本体１１に回動自在に取り付けられた開閉蓋１４によって開閉自在とされている。符号１５は、開閉蓋１４のロックを解除して開閉蓋１４を開く蓋開放ボタンである。この蓋開放ボタン１５をスライド操作することにより、開閉蓋１４の下部を回動自在に支持する軸を中心に回動されて、開閉蓋１４の上部がケース本体１１の側方（図１で手前側）に図１の様に開放される。
【００２３】
ケース本体１１の開閉蓋１４の下側には図２及び図４に示されている様に左側からアイリスボタン５５、ゲインボタン５６、シャッタスピードボタン５７、ホワイトバランスボタン５８、オートロックスィツチ５９が配設されている。更に、ケース本体１１の開閉蓋１５とレンズ装置１２間には後述する取手２０の真下に設けられたショートトランジション操作部６０とこの操作部６０の下に配されたフォーマットランプ６１と、フォーマットランプ６１の下に配された３個のＲＥＣレビューボタン６２、逆光補正ボタン６３、スポットライトボタン６４と、スポットライトボタン６４の下に設けられた３個のユーザ設定ボタン６５と、この３個のユーザ設定ボタン６５の隣に配されたフォーカスボタン６６とプッシュ自動ボタン６７とワンプッシュ方式のホワイトバランスボタン６８と、このフォーカスボタン６６の隣に配されたズームスィツチ６９等の手動操作可能な操作ボタン群及びランプが配設されている。勿論オート操作も可能なようにオートボタン群も設けられている。
【００２４】
また、ケース本体１１の背面の開閉蓋１４と反対側には、凹陥部からなるバッテリー収納部１６（図３参照）が形成されている。このバッテリー収納部１６には、電源としてのバッテリー１７が着脱可能に装着されている。そして、ケース本体１１の背面側には、図２及び図３に示す様に撮像手段を操作するための多数の操作ボタン（例えば、ピクチャープロファイルボタン、メニュースボタン、選択／決定ダイアル等）１８が設けられている。
【００２５】
ケース本体１１の上部には、レンズ装置１２の光軸方向である前後方向に延在されたマグネシューム・アルミニューム合金等で形成した取手２０が一体に設けられている。取手２０は、ケース本体１１の前側上部に立設された前脚部２０ａと、ケース本体１１の後側上部に立設された後脚部２０ｂと、これら前後脚部２０ａ，２０ｂの上端間を連結する把持部２０ｃから構成されている。取手２０の把持部２０ｃは、レンズ装置１２の光軸Ｌ（図４参照）から上方へ高さＨだけ離れた位置において光軸Ｌに略平行に延在されている。そして、取手２０の前脚部２０ａの下部と後脚部２０ｂは前側に傾斜するよう形成されていて、後脚部２０ｂの上部に電子ビューファインダ２１が取り付けられている。
【００２６】
電子ビューファインダ２１は、光軸Ｌ方向の後方に突出するように設けられていて、先端部にはアイカップ２２が取り付けられている。この電子ビューファインダ２１は、光軸方向前側において取手２０に回動自在に支持されており、アイカップ２２側が図３に示す様に略８０度上方へ回動可能に構成されている。
【００２７】
取手２０の前端部には、把持部２０ｃの先端に連続する台座部２４（図２参照）と、この台座部２４の先端に連続して光軸Ｌ方向の前方に突出する突出部２５が設けられている。突出部２５は、前方及び左右側方に開口された金属製のマグネシューム・アルミニューム合金からなる中空状の部分からなり、その内部にはマイクロホン２６が収納され、上部には金属製のアクセサリーシュー４１が形成されている。又、台座部２４は、光軸Ｌ方向と交差する方向の両側に張り出すように比較的大きく形成されていて、上面に開口する凹陥部が設けられている。この台座部２４には、多数の操作ボタンからなる操作ボタン群２７（図２参照）を有する蓋体が一体的に嵌合固定されている。
【００２８】
図４の側面図に示すように、台座部２４に装着された蓋体の上面２４ａは、光軸Ｌ方向の前側を高くして後方へ傾斜するように形成されている。即ち、取手２０の把持部２０ｃの中心線ＴＬが光軸方向Ｌに対して略平行となるように設定されていて、その中心線ＴＬに対して蓋体の上面２４ａが、若干後向きの線ＤＬとなるように傾斜角Φが設定されている。これにより、ビデオカメラ１０を体の前に捧げ持つ撮影者の目線が、蓋体の上面２４ａに対して交差する所定の角度となるようにしている。この蓋体に設けられる操作ボタン群２７の具体的内容としては、例えば、再生ボタン、停止ボタン、早送りボタン、巻戻しボタン、一時停止ボタン、音量調整スイッチ、バックライトスイッチ等をあげることができる。
【００２９】
この台座部２４の一方の側部には、回動支持部３０を介して表示装置としての液晶ディスプレイ１３が回動動作及び反転動作可能に取り付けられている。液晶ディスプレイ１３は、映像が表示される表示面１３ａ（図２参照）と、この表示面１３ａを露出させる開口部が設けられたケース部１３ｂを備えており、ケース部１３ｂが回動支持部３０と連結されている。回動支持部３０は、台座部２４に対して液晶ディスプレイ１３を光軸Ｌの方向と直交する方向である左右方向Ｓ（図１参照）に回動可能とした第１の回動部と、液晶ディスプレイ１３を光軸Ｌの方向である前後方向Ｔ（図１、図２参照）に回動可能とした第２の回動部から構成されている。
【００３０】
第１の回動部は、台座部２４の一側部において所定間隔をあけて設けられた一対の軸受部３１，３１と、両軸受部３１間に介在される軸受片３２と、これら一対の軸受部３１，３１及び軸受片３２を貫通する第１の回動軸３３から構成されている。第１の回動軸３３の軸心線方向と直交する方向に液晶ディスプレイ１３が略１８０度の角度範囲で左右方向Ｓに回動可能とされている。その結果、液晶ディスプレイ１３は、図１に示すように表示面１３ａと反対側のケース面が表側に現されるディスプレイ閉じ状態と、液晶ディスプレイ１３を左右方向へ１８０度回動させて表示面１３ａを表側に現したディスプレイ開き状態を取ることができる。
【００３１】
第２の回動部は、軸受片３２と、この軸受片３２に立設された図示しない第２の回動軸と、この第２の回動軸とケース部１３ｂとの間に摩擦力を生じさせて液晶ディスプレイ１３を任意の角度で保持できるようにした図示しない回動摩擦機構から構成されている。第２の回動軸は第１の回動軸３３の軸心線方向と直交する方向に延在されていて、図２に示すように、液晶ディスプレイ１３が略２７０度の角度範囲で前後方向Ｔに回動可能とされている。その結果、液晶ディスプレイ１３は、表示面１３ａを上側に現した状態から後方へ９０度回動させて表示面１３ａを背面に向けた状態（通常の撮影状態）を経て、更に後方へ９０度回動させることによりケース面を上側に現した状態（表示面１３ａは下向き）と、その状態から逆方向へ２７０度回動させて表示面１３ａを前側（被写体側）に向けた状態（自己を撮影する状態）を取ることができる。
【００３２】
又、液晶ディスプレイ１３は、その表示面１３ａを下に向けてケース部１３ｂの面を上側に現した状態から左右方向に１８０度回動させることにより、台座部２４の上に液晶ディスプレイ１３を重ね合わせて表示面１３ａを上側に現した状態を取ることができる。この表示面１３ａが表側である上面に現された状態では、その表示面１３ａは、台座部２４の上面２４ａと同様に傾斜角Φによって取手２０の中心線ＴＬに対して若干後向きに傾斜されている。なお、液晶ディスプレイ１３の表示面１３ａが被写体に向く状態（自己を撮影する状態）のときには、切替えスイッチの作動を介して画像が自動的に反転するように構成する。
【００３３】
このように台座部２４によって姿勢変更可能に支持された液晶ディスプレイ１３の近傍であって、取手２０の把持部２０ｃの前端部２０ｄには、ビデオカメラ１０を操作するための操作ボタンの一具体例を示す録画ボタン３５と、レンズ装置１２を操作するための操作ボタンの一具体例を示すズームボタン３６が設けられている。この前端部２０ｄ上面は、台座部２４の上面２４ａと同様に傾斜角Φによって若干後向きに傾斜され、把手２０の中心線ＴＬと傾斜角Φで交差するように設定されているが前端部２０ｄ上面は、取手２０の中心線ＴＬと平行であってもよい。
【００３４】
録画ボタン３５とズームボタン３６は横並びに配置されていて取手２０を手で持った状態において、持ち方を変えることなく親指でともに操作できる位置に設定されている。これら録画ボタン３５及びズームボタン３６は、操作性を向上するために取手２０に設けた第２の録画ボタン及び第２のズームボタンである。そのため、図３に示す様にケース本体１１の開閉蓋１４と反対側のケース本体１１の側面上部には、第２の録画ボタン３５及び第２のズームボタン３６とは別個独立に第１の録画ボタン３７と第１のズームボタン３８が設けられている。
【００３５】
図３に示す符号４０は、ビデオカメラ１０の取り落とし等を防止するためのハンドベルトである。また、符号４１は、フラッシュ装置等が着脱自在に装着されるアクセサリーシューである。本例に用いられるアクセサリーシュー４１はマイクロホン２６を内蔵する突出部２５の上部に三脚用の雄型のアクセサリーシュー４１が取り付けられている。アクセサリーシュー４１は取り付けたアクセサリーが落ちない様に外れにくい構造をとっている。アクセサリーを取り付けるときは、図３に示す様に雌型のシューアダプタ７２を雄型のアクセサリーシュー４１に押し付けながら嵌め合わせ、固定ネジ７３で締め付ける様に固定する様に成されている。図３はビデオカメラ１０を図１、２、４とは反対側から視た外観斜視図を示すものでレンズ装置１２のレンズ部にはレンズキャップ付フード７１をつけた状態を示す。
【００３６】
このような構成を有するビデオカメラ１０は、例えば、次のようにして良好な撮像作業等を実行することができる。まず、図１の状態では、液晶ディスプレイ１３が取手２０の台座部２４に格納されていて、その表示面１３ａが操作ボタン群２７と重なり合うよう内向きに対向されているため、表示面１３ａをしっかりと保護することができる。ビデオカメラ１０の図１の状態から、回動支持部３０の第１の回動部を中心に液晶ディスプレイ１３を左右方向Ｓへ略１８０度回動させることにより、液晶ディスプレイ１３を側方に突出させて表示面１３ａを上方へ向けることができる。この状態では、液晶ディスプレイ１３の表示面１３ａを見て、被写体の状態を確認することができる。また、台座部２４に設けられた操作ボタン群２７が露出されるため、その操作ボタン群２７を使用してビデオカメラ１０の撮像手段を操作することができる。例えば、撮影した映像を再生するためのボタン類を配置しておくことにより、その映像内容の確認を容易に行うことができる。
【００３７】
更に、回動支持部３０の第２の回動部を中心に液晶ディスプレイ１３を前方へ略９０度回動させることにより、表示面１３ａを被写体に向けることができる。また、液晶ディスプレイ１３を後方へ略９０度回動させることにより、図３の様に表示面１３ａを撮影者に向けることができる。このような状態のビデオカメラ１０を、液晶ディスプレイ１３の表示面１３ａを撮影者の目線上に設定して支持することにより、楽な姿勢でビデオカメラ１０を支持しつつ、その表示面１３ａを目で見て被写体を確認しながら撮影することができる。
【００３８】
この場合、手に大きな力を加えることなく、比較的小さな力でビデオカメラ１０を楽に、しかも確実に支えることができる。そのため、長時間の撮影においても疲労を少なくし、表示面１３ａが安定してブレの少ない良好な撮影を行うことができる。
【００３９】
また、回動支持部３０の第２の回動部を中心に液晶ディスプレイ１３を更に後方へ略９０度回動させて表示面１３ａを下に向けた後、第１の回動部を中心に液晶ディスプレイ１３を左右方向Ｓへ略１８０度回動させ、液晶ディスプレイ１３を台座部２４に格納することにより、表示面１３ａを操作ボタン群２７の上に重ね合わせて上方へ向けることができる。この状態では、ケース本体１１の中心線上に液晶ディスプレイ１３が設置されるため、表示面１３ａを見易くすることができる。しかも、液晶ディスプレイ１３の両端がケース本体１１の側面部から側方に大きく突出することがないため、撮影時に液晶ディスプレイ１３が邪魔になることがない。
【００４０】
このような液晶ディスプレイ１３の取り付け姿勢は、ビデオカメラ１０がブレないように電子ビューファインダ２１の先端のアイカップ２２を胸に押し当ててビデオカメラ１０を固定して撮影する場合に好適である。このようなビデオカメラ１０の固定状態で撮影者が液晶ディスプレイ１３の表示面１３ａを見ると、その目が水平方向を見るときの水平目線とその目が表示面１３ａを見るときの表示面目線とのなす角度を、従来例の場合に比べて小さくすることができる。そのため、撮影者が被写体と表示面１３ａを交互に見るために頭を上下方向に振る角度を小さくすることができる。従って、首の振れを少なくして首の筋肉疲労を軽減できるとともに、録画チャンスを逃すおそれを少なくすることができる。
【００４１】
更に、液晶ディスプレイ１３の取り付け姿勢として、取手２０を手で持ってビデオカメラ１０を下げた状態で撮影する、いわゆるローアングル撮影をする場合に好適である。この状態では、取手２０を持つ手のすぐ前方に液晶ディスプレイ１３の表示面１３ａが配置されているとともに、その表示面１３ａが後方へ少々傾斜されているため、楽な姿勢において目線を表示面１３ａ上におくことができる。そのため、従来例の場合に比べて楽な姿勢で表示面１３ａを見ることができる。
【００４２】
しかも、ローアングルで撮影する場合に、液晶ディスプレイがケース本体１１の側面部から側方に大きく突出していないため、撮影者の肩の関節と手首の関節を結ぶ腕線と肩の関節から垂直に降ろした垂線とのなす角度を従来よりも小さくすることができるため、撮影者の足に当たらないようにビデオカメラ１０を足から所定距離だけ遠ざけるようにしても、そのときの手の角度を小さくすることができ、従って、手を足から遠ざける力を小さくすることができる。これにより、重さを感じ易い窮屈な姿勢を軽減させて、比較的楽にビデオカメラ１０を捧げ持つことができる。
【００４３】
更に、取手２０の把持部２０ｃにおける台座部２４の近傍に録画ボタン３５とズームボタン３６が設置されているため、把持部２０ｃを持った姿勢を変えることなく、その姿勢のままで親指の操作により録画ボタン３５とズームボタン３６の操作を行うことができる。従って、録画チャンスを逃がすおそれを少なくできるとともに、ズーミング操作を迅速に行うことができる。
【００４４】
上述のビデオカメラ１０の外観構造から得られる構成効果を述べたが、以下にメカデッキ部分の配置構造を図５以下で説明する。図５及び図６は図１及び図２のＢ−Ｂ及びＡ−Ａ断面矢視図を示すもので、図５はカセット挿入口５３の開口部５４の開閉蓋１４が閉じた状態の側断面図、図６は開閉蓋１４を開いた状態の側断面図を示すものである。図に於いて、ケース本体１１は左右の断面がＣ字状の合成樹脂のケース半体１１Ｌ、１１Ｒで構成されている。ケース半体１１Ｌ、１１Ｒの突合せ面内にはアルミニューム、５２Ｓアルミニューム合金などで形成した断面Ｉ字型の基板シャーシ７５が配設されている。この基板シャーシ７５の垂直部７５ａは図４で示すビデオカメラ１０の光軸Ｌと直交する垂直面上又はこの垂直面と平行な面上に配される。基板シャーシ７５の上板７５ｂの上に設けたボス７４に取手２０がネジ止めされている。又、ケース半体１１Ｌ側のカセットホルダ５０側の開閉蓋１４と基板シャーシ７５の垂直部７５ａ間にはＣＣＤからの撮像信号を記録／再生するためのユニット化された記録再生装置の駆動部（以下メカデッキと記す）５２が設けられ、基板シャーシ７５の垂直部７５ａに形成したボス７７に傾斜した状態で取り付けられる。ケース半体１１Ｒ側にはバッテリー収納部１６が形成されている。
【００４５】
図５のメカデッキ５２をＤ方向から視た平面図を図７に示す。このメカデッキ５２はユニット化した略長方形状のシャーシ７９上に供給及び巻取り駆動部８０が配設され、ＤＶカセット５１が駆動部８０、８０に装着され、このＤＶカセット５１のリールから引きだされた記録用テープ媒体８１は回転ドラムヘッド８２にガイドピンやローラ８３を介して自動的にローデングされる。この様な回転ドラムヘッド８２はメカデッキ５２では最も重量のあるものと成る。本発明ではこの回転ドラムヘッド８２を図６に示す様にビデオカメラ１０のケース本体１１の下側（底面板側）に配設するように成すと共にメカデッキ５２をケース本体１１の中心に近づく方向、即ち、基板シャーシ７５の垂直部７５ａに近接配置する。又、カセット挿入口５３の開口部５４からＤＶカセット５１を取り出す方向はケース本体１１の中心から離れる方向にメカデッキ５２を図５及び図６では左側方に傾斜させて基板シャーシ７５の垂直部７５ａに固定している。
【００４６】
この様な取り付け状態の略線的構成を図８に示す。図８に於いて、メカデッキ５２は基板シャーシ７５に対して、ボス７７を介して略８度の傾斜で上部が開くように固定されているので開閉蓋１４の下側のケース半体１１Ｌ部分には図８に示す様に回転ドラムヘッド８２の先端からケース半体１１Ｌの内面までの間隔Ｄ２に対し、従来の構成では破線で示す様にメカデッキ５２をケース半体１１Ｌと平行に配設した場合は、回転ドラムヘッド８２の先端とケース半体１１Ｌの内面までの間隔はＤ１となり、Ｄ２の間隔に比べてＤ１の間隔が極めて小さくなり、本発明の図２に示す様にアイリスボタン５５、ゲインボタン５６、シャッタースピ−ドボタン５７、ホワイトバランスボタン５８、オートロックスイッチ５９を開閉蓋１４の下に配置するにはセンタラインＣＬからケース半体１１Ｌの外側までの距離Ｄ３を大きくしなければならない問題が生じ、本発明のように小型化を図ることが出来なくなる。実施例では傾斜角度を８度としたが、この角度に限定されるものではなく機構設計に応じて変更可能である。
【００４７】
又、上述の構成によると重量の大きい回転ドラムヘッド８２がビデオカメラ１０のケース本体１１の下側に来て、かつ、ケース本体１１の取手２０が取り付けられているセンタラインＣＬの方向に回転ヘッドドラム８２が偏っているためビデオカメラ１０の全体の重心位置をケース本体１１の下側で、かつ、取手２０の巾内の範囲内のセンタラインＣＬ側に持ちきたすことができるので取手２０を持っての撮影や通常の撮影に於いても不要なモーメントがビデオカメラに生じないのでブレの無い撮影が可能となる。
【００４８】
更に、カセットホルダ５０内に挿入させたＤＶカセット５１を取り出だす際にも本発明の構成によると図８に示す様に開閉蓋１４を開いた状態で考えたときに、矢印Ｅ２で示す斜め方向にＤＶカセット５１がせり上がって取り出し、交換できるので、非常に操作し易いビデオカメラ１０が提供できる。これに対して、破線で示す様にケース本体１１とメカデッキ５２を配設した場合には矢印Ｅ１で示す様にＤＶカセット５１が持ち上げられるため、ケース本体１１の上方部分１１Ｕに当接し、距離Ｄ３を広げざるを得ないことになる。
【００４９】
又、取手２０は基板シャーシ７５の上板７５ｂに配設したボス７４にネジ止めされているが、この上板７５ｂの幅Ｇ２を従来の破線で示す様にＤＶカセット５１を矢印Ｅ１方向に取り出すと、基板シャーシ７５の上板７５ｂの幅Ｇ２を大きく取ることが出来なくなる。即ち、ＤＶカセット５１が取り出し可能範囲に上板７５ｂの幅Ｇ２を縮小する必要があり、結果的には大きく、丈夫な取手２０を取り付けるにはケース本体１１を大型化しなければ取り付けることができなくなるが本例の場合は斜め上方にＤＶカセット５１を排出するので取手２０の取り付け用の上板７５ｂの幅Ｇ２を大きく取れるので、大きく、丈夫な取手２０を小型のケース本体１１に設けることが出来る。
【００５０】
以上説明したように、本発明のビデオカメラでは横長のケース本体１１内の光学系の光軸Ｌに垂直に直交する面上に配設した基板シャーシ７５の垂直部７５ａの垂直面に対し、メカデッキ５２を傾斜して配し、ＤＶカセット５１をケース本体１１のカセット装入口５３の開口部５４から取り出し可能と成したので、ビデオカメラ１０のケース本体１１に対し重量比の大きいメカデッキ５２の重心位置を低くし、かつ、ケース本体１１の中心線ＣＬ位置に近づけたので、撮影時のセットバランスに優れたビデオカメラ１０が得られる。
【００５１】
又、メカデッキ５２の下側をケース本体１１の中心に近づけ配置したのでケース本体１１の下側に他の構成部品を配置するスペースが生まれ、設計的、デサイン的にも自由度のあるビデオカメラ１０が得られる。
【００５２】
更に、ＤＶカセット５１の排出時に上方に斜めにせりあがってくるように、メカデッキ５２を配置したのでＤＶカセット５１の交換が非常に行いやすいビデオカメラ１０が得られる。
【００５３】
更に、又、メカデッキ５２の重心位置、即ち、記録再生ヘッドの動作部分である駆動部をケース本体１１の中心線ＣＬ側に寄せたので、ケース本体１１の外装面からは遠ざけられるので使用者に不要な振動やノイズ音を与え難いビデオカメラ１０が得られる。
【００５４】
更に、撮影時には、ケース本体１１の上部に設置された取手２０の前部に液晶ディスプレイ１３を配置する構成としたため、撮影者がビデオカメラ１０を体から遠ざけることなく、しかも上に持ち上げる動作を極力避けて支持することができ、非常に持ち易くすることができた。しかも、ローアングル撮影時に取手２０を握りながら撮影する場合においても、液晶ディスプレイ１３が邪魔になることがないから、窮屈な撮影姿勢を強いられることがなく、楽な操作で撮影活動を行うことができる。
【００５５】
又、取手２０の近傍に液晶ディスプレイ１３が配置されているため、目線を大きく動かすことなく表示面１３ａを見ながら操作ボタンの操作を行うことができ、この種の撮像装置における操作性を大幅に向上させることができる。更に、取手２０に比較的大きな表示装置を配置したことにより、ケース本体１１の内部構造に余裕を生じさせることができ、機能面のアップを図ることができるとともに、デザイン面の自由度を高めることができる。
【産業上の利用可能性】
【００５６】
上述の形態例においては、取手２０に対して液晶ディスプレイ１３を姿勢変更可能に構成した例について説明したが、液晶ディスプレイ等の表示装置を取手と一体に設ける構成としてもよいことは勿論である。例えば、図２において、操作ボタン群２７をなくし且つ回動支持部３０を廃止して、液晶ディスプレイを取手に埋設するようにする。この場合、操作ボタン群を液晶ディスプレイの近傍に配置するように構成してもよいことは勿論である。
【００５７】
本発明は、前述し、かつ図面に示した実施の形態に限定されるものではなく、その要旨を逸脱しない範囲内で種々の変形実施が可能である。例えば、前記実施例においてはメカデッキ５３をケース半体１１Ｌ側に配したがケース半体１１Ｒ側に配し基板シャーシ７５の垂直部７５ａに対し時計方向に適当な角度で傾斜させるように構成してもよい、この場合はカセットホルダ５０はバッテリー収納部側に変更される。また、取手２０や開閉蓋１４の下に又はレンズ装置１２と開閉蓋１４のケース半体１１Ｌ配設し操作ボタンとしては、前記実施例に挙げたものに限定されるものではない。
【図面の簡単な説明】
【００５８】
【図１】本発明の撮像装置としてのビデオカメラの１形態例を示すカセット挿入口の開閉蓋を開いた状態を示すビデオカメラの斜視図である。
【図２】図１のビデオカメラのカセット挿入口の開閉蓋を閉じた状態を示すビデオカメラの斜視図である。
【図３】図１及び図２に示すビデオカメラとは反対側から視たビデオカメラの斜視図である。
【図４】図１及び図２に示すビデオカメラの側面図である。
【図５】図２のＢ−Ｂ断面矢視図である。
【図６】図１のＡ−Ａ断面矢視図を示すもので、
【図７】図５のＤ方向から視たメカデッキの平面図である。
【図８】本発明の効果説明用の図５の右半分の略線的側断面である。
【図９】従来のビデオカメラの斜視図及び側面図である。
【符号の説明】
【００５９】
１０…ビデオカメラ（撮像装置）、１１…ケース本体、１２…レンズ装置、１３…液晶ディスプレイ（表示装置）、１３ａ…表示面、１３ｂ…ケース部、２４…台座部、２７…操作ボタン群、３０…回動支持部、３３…回動軸、３５，３７…録画ボタン（操作ボタン）、３６，３８…ズームボタン（操作ボタン）、４１…アクセサリーシュー、５０…カセットホルダ、５１…ＤＶカセット、５３…カセット挿入口、６９…ズームスイッチ、７５…基板シャーシ、７６…メカデッキ
【図１】
2006072245.tif 000003
【図２】
2006072245.tif 000004
【図３】
2006072245.tif 000005
【図４】
2006072245.tif 000006
【図５】
2006072245.tif 000007
【図６】
2006072245.tif 000008
【図７】
2006072245.tif 000009
【図８】
2006072245.tif 000010
【図９】
2006072245.tif 000011